(57)【要約】【課題】注射針の先端部により構成される電極を長くしても、注射針の可撓性が損なわれず、焼灼時において、電極の長さ方向にバラツキの少ない冷却を行うことができる焼灼用針装置を提供すること。【解決手段】絶縁被覆された基端部１２と電極を構成する先端部１１とからなる中空針１０と、液体の注入ポートおよび排出ポートを有するハブ２０と、通電用コネクタ３０と、熱電対４０と、中空針１０の内部に延在して各々の先端が中空針１０の先端部１１の内部に位置し、注入ポートから注入した液体を各々の先端開口から吐出する冷却用液体導入管５１，５２とを備えてなり、中空針１０の基端部１２の先端領域および先端部にスリットが形成されて可撓性が付与され、中空針１０の内部の液密性が確保され、冷却用液体導入管５１，５２の先端開口位置が中空針１０の先後方向に互いにずれている。【選択図】    図２
2019103561.tif 000002
【特許請求の範囲】
【請求項１】
腫瘍の高周波焼灼治療を行うための焼灼用針装置であって、
外表面が樹脂により絶縁被覆された基端部と、外表面が露出していることで電極を構成する先端部とからなる金属製の中空針と、
前記中空針の基端側に装着され、前記電極を冷却するための液体を注入して前記中空針の内部に供給するための液体の注入ポートと、前記電極を冷却して前記中空針の内部から戻ってきた液体を排出するための液体の排出ポートとを有するハブと、
前記電極に高周波電流を通電するために、前記中空針に電気的に接続されている通電用コネクタと、
前記電極の周囲にある組織の温度を測定するために、前記中空針の内部に延在している熱電対と、
前記ハブの内部および前記中空針の内部に延在して各々の先端が前記中空針の前記先端部の内部に位置し、前記注入ポートから注入した液体を各々の先端開口から吐出する複数の冷却用液体導入管とを備えてなり、
前記中空針の前記基端部の少なくとも先端領域および前記先端部に螺旋状のスリットが形成されることにより、前記中空針に可撓性が付与されており、
少なくとも前記先端部における前記スリットの形成領域において前記中空針の内表面に防水処理が施されているとともに前記中空針の先端が閉塞されることにより、前記中空針の内部の液密性が確保されており、
前記複数の冷却用液体導入管の先端開口位置が前記中空針の先後方向に互いにずれていることを特徴とする焼灼用針装置。
【請求項２】
前記ハブが、前記注入ポートと前記排出ポートとを併有する液体の流通ポートを有していることを特徴とする請求項１に記載の焼灼用針装置。
【請求項３】
前記ハブの内部および前記中空針の内部に延在して、その先端が前記中空針の前記先端部の内部に位置し、前記注入ポートから注入した液体を、その先端開口から吐出する第１冷却用液体導入管と、
前記第１冷却用液体導入管とともに前記ハブの内部および前記中空針の内部に延在して、その先端が前記中空針の前記先端部の内部に位置し、前記注入ポートから注入した液体を、その先端開口から吐出する第２冷却用液体導入管とを備え、
前記第１冷却用液体導入管の先端開口位置と前記第２冷却用液体導入管の先端開口位置とが前記中空針の先後方向に互いにずれていることを特徴とする請求項１または２に記載の焼灼用針装置。
【請求項４】
前記第１冷却用液体導入管の先端開口は、前記中空針の前記先端部の先端近傍の内部に位置し、前記第２冷却用液体導入管の先端開口は、前記中空針の前記先端部の中間または後端近傍の内部に位置していることを特徴とする請求項３に記載の焼灼用針装置。
【請求項５】
前記中空針の先端は樹脂製の先端チップによって閉塞されており、
前記熱電対の測温接点が前記先端チップに埋設されていることを特徴とする請求項１〜４の何れかに記載の焼灼用針装置。
【請求項６】
前記中空針の内部にガイドワイヤルーメンを形成するルーメンチューブが延在していることを特徴とする請求項１〜５の何れかに記載の焼灼用針装置。
【請求項７】
前記中空針の前記先端部により構成される前記電極の長さが６〜３０ｍｍであることを特徴とする請求項１〜６の何れかに記載の焼灼用針装置。
【請求項８】
前記中空針に形成されたスリットのピッチが先端方向に向かって連続的または断続的に狭くなっていることを特徴とする請求項１〜７の何れかに記載の焼灼用針装置。
【請求項９】
少なくとも前記先端部における前記スリットの形成領域において、前記中空針の内表面に防水シール被膜が形成されることにより前記防水処理が施されていることを特徴とする請求項１〜８の何れかに記載の焼灼用針装置。
【請求項１０】
前記防水シール被膜は、前記中空針の内部に挿入された状態の熱拡張性樹脂チューブを加熱して拡径させることにより形成されたものであることを特徴とする請求項９に記載の焼灼用針装置。
【請求項１１】
前記中空針を経静脈的に副腎に導入して副腎腫瘍の焼灼治療を行うための請求項１〜１０の何れかに記載の焼灼用針装置。
【請求項１２】
請求項１〜１０の何れかに記載の焼灼用針装置と、
前記通電用コネクタに接続された高周波電源装置と、
前記高周波電源装置に接続された対極板と、
前記中空針の前記先端部を目的部位近傍に案内するためのガイディングカテーテルと、  前記焼灼用針装置の前記電極を冷却するために、前記ハブの前記注入ポートに冷却用液体を注入する冷却用液体の供給ポンプと、前記電極を冷却して前記中空針の内部から前記ハブの内部に戻ってきた液体を前記排出ポートから回収して再冷却する回収容器とを備えた冷却用液体循環機構と
を備えてなる腫瘍の高周波焼灼治療システム。
【発明の詳細な説明】
【技術分野】
【０００１】
本発明は、副腎腫瘍などの腫瘍の焼灼治療を行うための焼灼用針装置、並びにそのような焼灼用針装置を備えた腫瘍の高周波焼灼治療システムに関する。
【背景技術】
【０００２】
原発性アルドステロン症は、血圧上昇ホルモンであるアルドステロンを過剰分泌させる腺腫（腫瘍）が副腎にできることから発症する高血圧疾患である。
原発性アルドステロン症の治療としては、アルドステロンの過剰分泌が片側の副腎から認められる場合には腫瘍のある副腎を摘出する。
一方、アルドステロンの過剰分泌が両側の副腎から認められる場合には、両側の副腎を摘出することができないため、患者は降圧剤を服用し続ける必要がある。
【０００３】
最近、アルドステロンが過剰に分泌される原発性アルドステロン症の治療方法として、カテーテルを用いて副腎静脈から血液採取（副腎静脈採血）して異常のある副腎を特定した後、当該副腎の位置をＸ線画像などにより正確に把握し、患者の背中から、バイポーラＲＦ（高周波）針を穿刺して腫瘍を焼灼する方法が紹介されている（下記非特許文献１参照）。
【０００４】
しかしながら、上記のような治療方法は副腎の摘出手術と比較すれば侵襲の程度は低いものの、患者への負担は依然として重い。
また、左副腎は膵臓や腸管に近いため、左副腎における腫瘍に対して背中からバイポーラＲＦ針を穿刺する手技は解剖学的に困難である。
【０００５】
このような問題を解決するために、本発明者は、焼灼用針を経静脈的に副腎に導入して焼灼治療を行うことについて検討を行い、尖鋭な管状の先端部と前記先端部の内腔と連通する略同径の内腔を有する管状の基端部とからなる金属製の注射針と、前記注射針の基端側に装着された把持部とを備えてなり、前記注射針の基端部は、少なくともその先端領域において螺旋状のスリットが形成されることにより可撓性が付与されているとともに、前記基端部の外表面は樹脂によって被覆されており、前記注射針の先端部は、その先端が閉塞されているとともに、この閉塞部分を含む前記先端部の外表面には、前記先端部の内腔に連通する複数の細孔が形成されており、前記把持部には、前記注射針の内腔に液体を供給するための液体の注入ポートが設けられている焼灼用針装置を提案している（下記特許文献１参照）。
【０００６】
この焼灼用針装置では、樹脂被覆されていない注射針の先端部により電極が構成されており、先端部により構成される電極の長さは、マイクロ腺腫の治療に好適な１〜６ｍｍ程度とされる。
この焼灼用針装置によれば、注射針の基端部の先端領域における剛性を、螺旋状のスリットが形成されていることによってある程度低くして、柔軟な注射針とすることができるので、この注射針を副腎に至る血管形状に追従させることができて血管壁を傷つけることなどがなく、その先端部を副腎の腫瘍部位に到達させることができる。
【０００７】
また、注射針の先端部の外表面に、内腔に連通する複数の細孔が形成されていることにより、注射針の内腔に供給された液体を複数の細孔から噴射して先端部の周囲に灌注することができ、注射針の先端部（電極）の表面に生体組織や血栓が付着することを防止することができる。
従って、この焼灼用針装置を使用することによって、原発性アルドステロン症に対する新規な治療法である経静脈的な焼灼治療を確実に行うことができる。
【先行技術文献】
【特許文献】
【０００８】
【非特許文献１】２０１３年９月２５日化学工業日報
【特許文献１】特開２０１７−１２７４９８号公報
【発明の概要】
【発明が解決しようとする課題】
【０００９】
例えば、副腎の全体にわたり腫瘍ができている症例など、副腎の全体を焼灼する必要がある場合には、高周波電流による焼灼巣のサイズを大きくすることが望ましい。焼灼巣のサイズを大きくするためには、電極を長くする（例えば２０ｍｍ程度にする）必要がある。
【００１０】
しかし、上記特許文献１に記載されている焼灼用針装置の電極（注射針の先端部）にはスリットが形成されていないため、そのような電極を長くすると当該電極を含む注射針の剛性が高くなって柔軟性に劣り、複雑な血管形状に追従することができないため、副腎に導入する途中でガイディングカテーテルや血管壁に突き刺さることも考えられる。
このため、柔軟でかつ長い電極を備えた焼灼用針装置の提供が望まれる。
【００１１】
また、焼灼用針装置の電極を長くすることに伴って当該電極を冷却するために灌注する冷却水（生理食塩水）を増量する必要がある。
しかし、治療すべき臓器（副腎）のサイズに対して多量の冷却水を灌注する場合には、臓器の膨潤・膨張、腫瘍組織の拡散などのリスクが懸念される。
【００１２】
更に、焼灼用針装置の電極を長くすることに伴って、当該電極の長さ方向における冷却ムラが生じることが考えられる。
【００１３】
本発明は以上のような事情に基いてなされたものである。
本発明の目的は、注射針の先端部により構成される電極の長さを長く設定しても、当該電極を含む注射針の可撓性（柔軟性）が損なわれることはなく、焼灼時において、冷却用液体を灌注する場合に生じるリスクを回避しながら当該電極を十分に冷却することができ、当該電極の長さ方向にバラツキの少ない冷却を行うことができる焼灼用針装置を提供することにある。
【００１４】
本発明の他の目的は、注射針を経静脈的に副腎に導入して副腎腫瘍の高周波焼灼を行う治療方法、特に、副腎の全体を焼灼するような治療方法に特に好適に使用することができる焼灼用針装置を提供することにある。
【００１５】
本発明の更に他の目的は、腫瘍の高周波焼灼を行う治療方法に好適に使用することができる高周波焼灼治療システムを提供することにある。
【課題を解決するための手段】
【００１６】
（１）本発明の焼灼用針装置は、腫瘍の高周波焼灼治療を行うための針装置であって、
外表面が樹脂により絶縁被覆された基端部と、外表面が露出していることで電極を構成する先端部とからなる金属製の中空針と、
前記中空針の基端側に装着され、前記電極（中空針の先端部）を冷却するための液体を注入して前記中空針の内部に供給するための液体の注入ポートと、前記電極を冷却して前記中空針の内部から戻ってきた液体を排出するための液体の排出ポートとを有するハブと、
前記電極に高周波電流を通電するために、前記中空針に電気的に接続されている通電用コネクタと、
前記電極の周囲にある組織の温度を測定するために、前記中空針の内部に延在している熱電対と、
前記ハブの内部および前記中空針の内部に延在して各々の先端が前記中空針の前記先端部の内部に位置し、前記注入ポートから注入した液体を各々の先端開口から吐出する複数の冷却用液体導入管とを備えてなり、
前記中空針の前記基端部の少なくとも先端領域およびこれに続く前記先端部に螺旋状のスリットが形成されることにより、前記中空針に可撓性が付与されており、
少なくとも前記先端部における前記スリットの形成領域において前記中空針の内表面に防水処理が施されているとともに前記中空針の先端が閉塞されることにより、前記中空針の内部の液密性が確保されており、
前記複数の冷却用液体導入管の先端開口位置が前記中空針の先後方向に互いにずれていることを特徴とする。
【００１７】
このような構成の焼灼用針装置によれば、中空針の基端部だけでなく、電極を構成する先端部にも螺旋状のスリットが形成されているので、焼灼巣サイズの拡大を企図して電極の長さを長く設定したとしても、当該電極を含む中空針（注射針）を柔軟なものとすることができ、この中空針を複雑な血管形状に追従させることができて血管壁等を傷つけることなどがなく、当該電極を目的部位に確実に到達させることができる。
【００１８】
また、液密性が確保された中空針の先端部の内部において、複数の冷却用液体導入管の先端開口から冷却用の液体を吐出させることにより、冷却用液体を灌注する場合に生じるリスクを完全に回避しながら、電極を十分に冷却（インナークーリング）することができる。
【００１９】
さらに、電極を構成する中空針の先端部の内部において、複数の冷却用液体導入管の先端開口位置（冷却用液体の吐出位置）が中空針の先後方向に互いにずれていることにより、電極の長さを長く設定したとしても、当該電極の長さ方向にバラツキの少ない冷却を行うことができる。
【００２０】
（２）本発明の焼灼用針装置において、前記ハブが、前記注入ポートと前記排出ポートとを併有する液体の流通ポートを有していることが好ましい。
【００２１】
（３）本発明の焼灼用針装置において、前記ハブの内部および前記中空針の内部に延在して、その先端が前記中空針の前記先端部の内部に位置し、前記注入ポートから注入した液体を、その先端開口から吐出する第１冷却用液体導入管と、
前記第１冷却用液体導入管とともに前記ハブの内部および前記中空針の内部に延在して、その先端が前記中空針の前記先端部の内部に位置し、前記注入ポートから注入した液体を、その先端開口から吐出する第２冷却用液体導入管とを備え、
前記第１冷却用液体導入管の先端開口位置と前記第２冷却用液体導入管の先端開口位置とが前記中空針の先後方向に互いにずれていることが好ましい。
【００２２】
このような構成の焼灼用針装置によれば、電極を構成する中空針先端部の内部において、第１冷却用液体導入管の先端開口位置（冷却用液体の吐出位置）と、第２冷却用液体導入管の先端開口位置（冷却用液体の吐出位置）とが中空針の先後方向に互いにずれていることにより、電極の長さを長く設定したとしても、当該電極の長さ方向にバラツキの少ない冷却を行うことができる。
【００２３】
（４）上記（３）の焼灼用針装置において、前記第１冷却用液体導入管の先端開口が前記中空針の前記先端部の先端近傍の内部に位置し、前記第２冷却用液体導入管の先端開口が前記中空針の前記先端部の中間または後端近傍の内部に位置していることが好ましい。
【００２４】
このような構成の焼灼用針装置によれば、第１冷却用液体導入管の先端開口から吐出される冷却用液体によって中空針の先端部（電極）の主に先端部分を冷却することができ、第２冷却用液体導入管の先端開口から吐出される冷却用液体によって中空針の先端部（電極）の主に後端部分を冷却することができる。
【００２５】
（５）本発明の焼灼用針装置において、前記中空針の先端は樹脂製の先端チップによって閉塞されており、
前記熱電対の測温接点が前記先端チップに埋設されていることが好ましい。
【００２６】
このような構成の焼灼用針装置によれば、熱電対の測温接点が、熱伝導率の低い樹脂製の先端チップに埋設されているので、電極（中空針の先端部）の温度変化の影響を受けにくくなり、電極の周囲にある組織の温度を正確に測定することができる。
【００２７】
（６）本発明の焼灼用針装置において、前記中空針の内部にガイドワイヤルーメンを形成するルーメンチューブが延在していることが好ましい。
【００２８】
このような構成の焼灼用針装置によれば、ガイドワイヤを使用することにより、電極（中空針の先端部）を目的部位に迅速かつ確実に到達させることができる。
【００２９】
（７）本発明の焼灼用針装置において、前記中空針の前記先端部により構成される前記電極の長さが６〜３０ｍｍであること、特に８〜３０ｍｍであることが好ましい。
【００３０】
このように長い電極を備える焼灼用針装置において本発明の構成を採用することは特に効果的である。
【００３１】
（８）本発明の焼灼用針装置において、前記中空針に形成されたスリットのピッチが先端方向に向かって連続的または断続的に狭くなっていることを特徴とする請求項１〜６の何れかに記載の焼灼用針装置。
【００３２】
このような焼灼用針装置によれば、中空針の剛性を、先端方向に向かって連続的または断続的に低下させることができ、これにより、当該中空針を目的部位へ導入する際の操作性に特に優れた針装置とすることができる。
【００３３】
（９）本発明の焼灼用針装置において、少なくとも前記先端部における前記スリットの形成領域において、前記中空針の内表面に防水シール被膜が形成されることにより前記防水処理が施されていることが好ましい。
【００３４】
このような焼灼用針装置によれば、外表面が露出する（樹脂被覆されていない）先端部におけるスリットの形成領域の内周面を確実に防水処理することができるので、中空針の内部の液密性を確保することができる。
【００３５】
（１０）上記（９）の焼灼用針装置において、前記防水シール被膜は、前記中空針の内部に挿入された状態の熱拡張性樹脂チューブを加熱して拡径させることにより形成されたものであることが好ましい。
【００３６】
（１１）本発明の焼灼用針装置は、前記中空針を経静脈的に副腎に導入して副腎腫瘍の焼灼治療を行うために好適に使用することができる。
【００３７】
（１２）本発明の高周波焼灼治療システムは、本発明の焼灼用針装置と、
前記通電用コネクタに接続された高周波電源装置と、
前記高周波電源装置に接続された対極板と、
前記中空針の前記先端部を目的部位近傍に案内するためのガイディングカテーテルと、  前記焼灼用針装置の前記電極を冷却するために、前記ハブの前記注入ポートに冷却用液体を注入する冷却用液体の供給ポンプと、前記電極を冷却して前記中空針の内部から前記ハブの内部に戻ってきた液体を前記排出ポートから回収して再冷却する回収容器とを備えた冷却用液体循環機構と
を備えてなることを特徴とする。
【発明の効果】
【００３８】
本発明の焼灼用針装置によれば、中空針の先端部によって構成される電極の長さを長く設定しても、当該電極を含む中空針を柔軟なものとすることができる。
また、焼灼時において、冷却用液体を灌注する場合に生じる上述のリスクを中空針内部の液密性を確保してインナークーリングすることにより完全に回避しながら、当該電極を十分に冷却することができる。
更に、電極の長さを長く設定しても、当該電極の長さ方向にバラツキの少ない効率的な冷却を行うことができる。
本発明の高周波焼灼治療システムによれば、腫瘍の高周波焼灼治療を確実に行うことができる。
【図面の簡単な説明】
【００３９】
【図１】本発明の焼灼用針装置の一実施形態を示す正面図である。
【図２】図１に示した焼灼用針装置の平面図である。
【図３】図１に示した焼灼用針装置の側面図である。
【図４】図１に示した焼灼用針装置の部分拡大正面図（同図のＩＶ部拡大図）である。
【図５】図１に示した焼灼用針装置の部分拡大正面図（図２のＶ部拡大図）である。
【図６】図１に示した焼灼用針装置の横断面図（同図のＶＩ−ＶＩ断面図）である。
【図７】図１に示した焼灼用針装置の部分拡大縦断面図（図５のＶＩＩ−ＶＩＩ断面図）である。
【図８】図１に示した焼灼用針装置の部分拡大縦断面図（図５のＶＩＩＩ−ＶＩＩＩ断面図）である。
【図９】図１に示した焼灼用針装置の部分拡大縦断面図（同図のＩＸ−ＩＸ断面図）である。
【図１０】図１に示した焼灼用針装置の部分拡大縦断面図（図９のＸ部拡大図）である。
【図１１】図１に示した焼灼用針装置の部分拡大斜視図である。
【図１２】本発明の高周波焼灼治療システムの構成を模式的に示す説明図である。
【図１３Ａ】本発明の高周波焼灼治療システムを構成する右副腎用のガイディングカテーテルの形状を示す説明図である。
【図１３Ｂ】本発明の高周波焼灼治療システムを構成する左副腎用のガイディングカテーテルの形状を示す説明図である。
【図１４Ａ】図１３Ａに示すガイディングカテーテルの先端を右副腎に到達させた状態を示す説明図である。
【図１４Ｂ】図１３Ｂに示すガイディングカテーテルの先端を左副腎に到達させた状態を示す説明図である。
【発明を実施するための形態】
【００４０】
＜焼灼用針装置＞
この実施形態の焼灼用針装置１００は、経静脈的に副腎に注射針（中空針）を導入して副腎腫瘍の高周波焼灼治療を行うための焼灼用針装置であって、樹脂１６によって外表面が絶縁被覆された基端部１２と、外表面が露出していることで電極を構成する先端部１１とからなる金属製の中空針１０と、中空針１０の基端側に装着され、液体の流通ポート２１（液体の注入ポートと液体の排出ポートを併有する１つのポート）と、通電用コネクタの接続ポート２３と、ガイドワイヤポート２５とを有するハブ（分岐ハブ）２０と、電極に高周波電流を通電するために、中空針１０に電気的に接続されている通電用コネクタ３０と、電極の周囲にある組織の温度を測定するために通電用コネクタの接続ポート２３からハブ２０の内部に挿入され、ハブ２０の内部および中空針１０の内部に延在している熱電対４０と、ハブ２０の内部および中空針１０の内部に延在して、その先端５１１が中空針１０の先端部１１の内部に位置し、流通ポート２１からハブ２０の内部に注入した冷却用液体をその先端開口から吐出する第１冷却用液体導入管５１と、第１冷却用液体導入管５１とともにハブ２０の内部および中空針１０の内部に延在して、その先端５２１が中空針１０の先端部１１の内部に位置し、流通ポート２１からハブ２０の内部に注入した冷却用液体をその先端開口から吐出する第２冷却用液体導入管５２と、中空針１０の内部に延在してガイドワイヤルーメンを形成するルーメンチューブ６０とを備えてなり、中空針１０の基端部１２の先端領域１２Ａおよびそれに続く先端部１１に螺旋状のスリット１４が形成されることにより中空針１０に可撓性が付与されており、中空針１０の内表面に防水シール被膜１８が形成されているとともに樹脂製の先端チップ１５によって中空針１０の先端が閉塞されることにより、中空針１０の内部の液密性が確保され、熱電対４０の測温接点（温度センサ）４５が先端チップ１５に埋設され、ルーメンチューブ６０の先端部分は先端チップ１５を貫通して開口を形成しており、第１冷却用液体導入管５１の先端開口位置と、第２冷却用液体導入管５２の先端開口位置とが中空針１０の先後方向に互いにずれている。
【００４１】
図１〜図３、図９〜図１１において、７１〜７４は、それぞれ、ハブ２０のポート２１，２３，２５から延出されている延長チューブであり、７６、７７、７９は、それぞれ、延長チューブ７１、７２、７４の基端に装着されたコネクタである。
【００４２】
この実施形態の焼灼用針装置１００は、中空針（注射針）１０と、ハブ２０と、通電用コネクタ３０と、熱電対４０と、第１冷却用液体導入管５１と、第２冷却用液体導入管５２と、ルーメンチューブ６０とを備えている。
【００４３】
焼灼用針装置１００を構成する中空針１０は、被覆樹脂１６によって外表面が絶縁被覆された基端部１２と、外表面が露出していることで電極を構成する先端部１１とからなる金属製の中空針である。
【００４４】
中空針１０を構成する金属材料としては、ステンレススチール、ＮｉＴｉ、βチタン、プラチナイリジウムなどを挙げることができる。
【００４５】
中空針１０（先端部１１および基端部１２）の外径は、例えば０．５５〜３．０ｍｍとされ、好ましくは０．７〜２．０ｍｍとされる。
中空針１０（先端部１１および基端部１２）の内径は、例えば０．２５〜２．８ｍｍとされ、好ましくは０．６〜１．９ｍｍとされる。
中空針１０の長さは、例えば２００〜２２００ｍｍとされ、好ましくは６００〜１０００ｍｍとされる。
【００４６】
中空針１０の基端部１２の外表面は被覆樹脂１６によって絶縁被覆されており、これにより、基端部１２と対極板との間で高周波電流が流れることはない。
【００４７】
被覆樹脂１６の膜厚としては、例えば１０〜１００μｍとされ、好ましくは２０〜４０μｍとされる。
被覆樹脂１６は、基端部１２を内部に挿入した状態の熱収縮性樹脂チューブを加熱して縮径させることにより形成されている。
【００４８】
被覆樹脂１６を形成するための熱収縮性樹脂チューブとしては、例えばポリエーテルブロックアミド共重合体樹脂（ＰＥＢＡＸ（登録商標））を挙げることができる。
【００４９】
中空針１０の先端部１１の外表面は樹脂被覆されることなく露出している。
これにより、先端部１１と対極板との間で高周波電流が流れることになり、先端部１１が電極として機能する。
【００５０】
中空針１０の先端部１１の長さ（図４に示すＬ１１）としては６ｍｍ以上であることが好ましく、より好ましくは６〜３０ｍｍ、更に好ましくは８〜３０ｍｍ、好適な一例を示せば２０ｍｍである。
先端部１１の長さが６ｍｍ以上であることにより、高周波電流による発熱領域（焼灼巣のサイズ）を大きくすることができ、副腎の全体を焼灼するような治療方法を行う場合であっても十分な治療効果を発揮することができる。
【００５１】
中空針１０には、基端部１２の先端領域１２Ａ、およびそれに続く先端部１１に螺旋状のスリット１４が形成されている。
【００５２】
中空針１０の基端部１２の先端領域１２Ａだけでなく、電極を構成する先端部１１にも螺旋状のスリット１４が形成されていることにより、電極（先端部１１）の長さを長くしたとしても、当該電極を含む中空針１０は、可撓性（柔軟性）に優れたものとなり、副腎に至る血管形状に容易に追従させることができる。
【００５３】
基端部１２におけるスリット１４の形成領域である先端領域１２Ａの長さは、例えば５０〜８００ｍｍとされ、好ましくは１００〜６００ｍｍとされる。
先端部１１におけるスリット１４は、電極を含む中空針１０の可撓性（柔軟性）が確保できるのであれば、先端部１１の全長にわたり形成されている必要はない。この実施形態においては、先端チップ１５の装着部分を含む、先端から少なくとも３〜８ｍｍ程度の領域にはスリット１４は形成されていない。
【００５４】
スリット１４を形成する方法としては特に限定されるものではなく、レーザ加工、放電加工、化学エッチング、切削加工などを採用することができる。
スリット１４の幅としては、例えば０．０１〜０．１ｍｍとされ、好ましくは０．０２〜０．０４ｍｍとされる。
【００５５】
中空針１０に形成されている螺旋状のスリット１４は金属管の外周面から内周面に至る貫通スリットである。なお、本発明において中空針に形成されるスリットは、内周面に至らないような非貫通スリットであってもよい。
【００５６】
中空針１０（先端部１１および基端部１２）のスリット１４の形成領域において、当該スリット１４のピッチは、先端方向に向かって連続的に狭くなるように形成されている。これにより、中空針１０の剛性を先端方向に向かって連続的（滑らか）に低下させることができ、これにより、中空針１０を副腎へ導入する際の操作性に特に優れた針装置とすることができる。なお、本発明において、中空針に形成されるスリットはすべて同じピッチであってもよい。
【００５７】
図６に示すように、中空針１０の内周面には、その全長にわたり防水シール被膜１８が形成されており、このようにして防水処理がなされることにより、中空針１０の内部の冷却用液体が先端部１１に形成されているスリット１４から漏れ出すことはない。
【００５８】
防水シール被膜１８の膜厚としては、例えば５〜１００μｍとされ、好ましくは２０〜６０μｍとされる。
防水シール被膜１８は、中空針１０の内部に挿入された状態の熱拡張性樹脂チューブを加熱して拡径させることにより形成されている。
【００５９】
防水シール被膜１８を形成するための熱拡張性樹脂チューブとしては、熱拡張性を発揮できるものであれば特に限定されないが、例えばポリウレタン樹脂、ＦＥＰ樹脂などからなるチューブを挙げることができる。
【００６０】
なお、この実施形態では中空針１０の全長にわたる内周面に防水シール被膜１８が形成されているが、中空針１０の基端部１２における防水性（スリット１４からの冷却用液体の漏出防止効果）は被覆樹脂１６によって確保されているので、防水シール被膜１８は、中空針１０の先端部１１におけるスリット１４の形成領域の内周面のみに形成されていてもよい。
【００６１】
図４、図５、図７および図８に示すように、中空針１０（先端部１１）の先端は、樹脂製の先端チップ１５によって閉塞されており、これにより、中空針１０の先端から冷却用液体が漏れ出すことはない。
【００６２】
先端チップ１５を構成する樹脂としては、例えばＰＥＥＫ樹脂、ナイロン、ポリカーボネートなどを例示することができる。
【００６３】
図１〜図３、図９〜図１１に示すように、中空針１０の基端側に装着されて焼灼用針装置１００を構成するハブ２０は、液体の流通ポート２１と、通電用コネクタの接続ポート２３と、ガイドワイヤポート２５とを有する分岐ハブである。
【００６４】
液体の流通ポート２１は、冷却用液体をハブ２０の内部に注入して中空針１０の内部に供給するための「液体の注入ポート」と、電極の冷却後に中空針１０の内部からハブ２０の内部に戻ってきた液体をハブ２０から排出するための「液体の排出ポート」とを併有している。
【００６５】
図２、図３、図９および図１１に示すように、流通ポート２１からは、第１延長チューブ７１が延出している。
図１０および図１１に示すように、ハブ２０の内部に位置する第１延長チューブ７１の先端開口には、後述する第１冷却用液体導入管５１の基端部および第２冷却用液体導入管５２の基端部が挿入されている。
第１延長チューブ７１の基端にはコネクタ７６（液体の注入用コネクタ）が装着されており、第１延長チューブ７１は、このコネクタ７６によって、冷却用液体循環機構を構成する冷却用液体の供給ポンプに連結される（これにより、流通ポート２１は、液体の注入ポートを有することになる）。
【００６６】
ここに、第１延長チューブ７１を流通して液体の流通ポート２１から注入される冷却用液体としては、飽和食塩水など高濃度の食塩水を挙げることができる。注入される冷却用液体（飽和食塩水）の温度としては−８〜−１℃程度である。
【００６７】
図１、図３および図１１に示すように、流通ポート２１からは、第１延長チューブ７１とともに第２延長チューブ７２が延出している。
第２延長チューブ７２は、その先端がハブ２０の内部おいて開口することにより、中空針１０の内部と連通している。
第２延長チューブ７２の基端にはコネクタ７７（液体の排出用コネクタ）が装着されており、第２延長チューブ７２は、このコネクタ７７によって、冷却用液体循環機構を構成する液体の回収容器に連結される（これにより、流通ポート２１は、液体の排出ポートを有することになる）。
【００６８】
通電用コネクタの接続ポート２３は、通電用コネクタ３０のリードおよび熱電対４０をハブ２０の内部に挿入するためのポートである。
図１〜図３、図９および図１１に示すように、接続ポート２３からは、第３延長チューブ７３が延出している。通電用コネクタ３０のリードおよび熱電対４０は、第３延長チューブ７３の内部を延在して接続ポート２３に案内され、ハブ２０の内部に挿入される。
【００６９】
図２、図９および図１１に示すように、ガイドワイヤポート２５からは、第４延長チューブ７４が延出している。
図１１に示すように、ハブ２０の内部に位置する第４延長チューブ７４の先端開口には、ガイドワイヤルーメンを形成するルーメンチューブ６０の基端部が挿入されている。
第４延長チューブ７４の基端には、ガイドワイヤを挿入するためのコネクタ７９が装着されている。
【００７０】
焼灼用針装置１００を構成する通電用コネクタ３０は、これを高周波電源装置に接続して中空針１０の先端部１１により構成される電極に高周波電流を通電するためのコネクタである。
通電用コネクタ３０のリード（図示省略）は、第３延長チューブ７３の内部を延在して接続ポート２３からハブ２０の内部に挿入される。通電用コネクタ３０のリードの先端は、例えば、中空針１０の基端部の内周面（防水シール被膜１８を剥離して露出した金属面）に溶接により固定されており、これにより、通電用コネクタ３０と中空針１０とが電気的に接続される。
【００７１】
通電用コネクタ３０は、熱電対用コネクタを兼用している。焼灼用針装置１００を構成する熱電対４０は、電極の周囲にある組織の温度を測定するために使用される。
【００７２】
通電用コネクタ３０（熱電対用コネクタ）に接続されている熱電対４０は、第３延長チューブ７３の内部を延在し、図１０および図１１に示すように、接続ポート２３からハブ２０の内部に挿入されてハブ２０の内部に延在するとともに、図６〜図８に示すように、中空針１０の内部に延在する。
【００７３】
熱電対４０の測温接点（温度センサ）４５は、中空針１０の先端を閉塞している樹脂製の先端チップ１５に埋設されている。
熱電対４０の測温接点４５が、熱伝導率の低い樹脂製の先端チップ１５に埋設されていることにより、熱伝導の高い電極（中空針１０の先端部１１）の加熱・冷却に伴う温度変化の影響を受けにくくなり、電極の周囲にある組織の温度を正確に測定することができる。
【００７４】
この実施形態の焼灼用針装置１００には、中空針１０の内部における冷却用液体の流路を確保するために、先端開口位置の異なる２本の冷却用液体導入管５１および５２が設けられている。
【００７５】
図６、図７、図１０および図１１に示すように、焼灼用針装置１００を構成する第１冷却用液体導入管５１は、ハブ２０の内部および中空針１０の内部に延在している。
図７に示すように、第１冷却用液体導入管５１の先端５１１は、中空針１０の先端部１１の先端近傍の内部に位置している。
【００７６】
図６、図８、図１０および図１１に示すように、焼灼用針装置１００を構成する第２冷却用液体導入管５２は、第１冷却用液体導入管５１と並行して、ハブ２０の内部および中空針１０の内部に延在している。
図８に示すように、第２冷却用液体導入管５２の先端５２１は、中空針１０の先端部１１の略中間（第１冷却用液体導入管５１の先端５１１より基端側）の内部に位置している。
【００７７】
図１０および図１１に示すように、第１冷却用液体導入管５１の基端部および第２冷却用液体導入管５２の基端部は、冷却用液体の供給ポンプに連結される第１延長チューブ７１の先端開口に挿入されている。
第１冷却用液体導入管５１のルーメンおよび第２冷却用液体導入管５２のルーメンに、第１延長チューブ７１を通して冷却用液体を供給する（流通ポート２１から冷却用液体を注入する）ことにより、当該冷却用液体は、先端部１１の先端近傍に位置する第１冷却用液体導入管５１の先端開口から吐出されるとともに、先端部１１の略中間に位置する第２冷却用液体導入管５２の先端開口から吐出される。
【００７８】
第１冷却用液体導入管５１の先端開口から吐出された冷却用液体は、主に、電極を構成する先端部１１の先端部分を冷却することができ、第２冷却用液体導入管５２の先端開口から吐出された冷却用液体は、主に、先端部１１の後端部分を冷却することができる。
【００７９】
このように、第１冷却用液体導入管５１の先端開口位置と、第２冷却用液体導入管５２の先端開口位置とが互いにずれている（電極内部における冷却用液体の吐出位置が異なる）ことにより、中空針１０の先端部１１により構成される電極の長さが長くても、当該電極の長さ方向にバラツキの少ない冷却を行うことができる。
【００８０】
また、図６に示したようなルーメンチューブ６０が延在している中空針１０の内部に、２本の冷却用液体導入管５１および５２を延在させることにより、これら導入管の合計断面積を、１本の冷却用液体導入管を延在させる場合の当該導入管の断面積よりも広くすることができる。
【００８１】
第１冷却用液体導入管５１の先端開口および第２冷却用液体導入管５２の先端開口から吐出された冷却用液体は、中空針１０の先端部１１により構成される電極を内側から冷却（インナークーリング）した後、中空針１０の内部からハブ２０の内部に戻り、第２延長チューブ７２の内部を基端方向に流通することにより、流通ポート２１から排出されて液体の回収容器に回収される。
【００８２】
図６〜図８に示すように、焼灼用針装置１００を構成するルーメンチューブ６０は、中空針１０の内部に延在してガイドワイヤルーメンを形成している。
ルーメンチューブ６０の先端部分は樹脂製の先端チップ１５を貫通し、当該先端チップ１５の先端にガイドワイヤポートとなる開口を形成している。なお、このことによっても中空針１０の内部の液密性は確保されている。
【００８３】
ルーメンチューブ６０によって形成されるガイドワイヤルーメンにガイドワイヤを挿通して焼灼用針装置１００を導入することにより、電極（中空針１０の先端部１１）を目的部位に迅速かつ確実に到達させることができる。
【００８４】
この実施形態の焼灼用針装置１００によれば、後述する高周波焼灼治療システムに搭載されることにより、副腎腫瘍の高周波焼灼治療を行うことができる。また、経静脈的な焼灼治療であるので、背中から高周波針を穿刺する従来の手技では困難であった左副腎の腫瘍に対しても比較的容易に高周波焼灼治療を施すことができる。
【００８５】
また、中空針１０の基端部１２だけでなく、電極を構成する中空針１０の先端部１１にも螺旋状のスリット１４が形成されていることにより、電極の長さを長くしても当該電極を含む中空針１０を柔軟なものとすることができるので、この中空針１０を、副腎に至る血管形状に追従させることができ、血管壁を傷つけることなく、副腎の腫瘍部位に電極を到達させることができる。また、電極の長さを長くすることによって、焼灼巣のサイズを大きくすることができ、これにより、副腎の全体を焼灼するような手技であっても効率的に行うことができる。
【００８６】
また、中空針１０の内表面に防水シール被膜１８が形成されているとともに先端チップ１５によって先端が閉塞されることによって中空針１０の内部の液密性が確保された状態で、第１冷却用液体導入管５１の先端開口と、第２冷却用液体導入管５２の先端開口とから冷却用液体を吐出させることにより、冷却用液体を灌注する場合に生じるリスクを内部の液密性を確保してインナークーリングすることにより回避しながら、当該電極を十分に冷却することができる。
【００８７】
また、中空針１０の内部において、第１冷却用液体導入管５１の先端開口位置が先端部１１の先端近傍に位置し、第２冷却用液体導入管５２の先端開口位置が先端部１１の略中間に位置することにより、電極の長さを長くしても、当該電極の長さ方向にバラツキの少ない冷却を行うことができる。
【００８８】
また、中空針１０の先端を閉塞する先端チップが樹脂製であり、この先端チップ１５に熱電対４０の測温接点が埋設されていることにより、熱伝導の高い電極（中空針１０の先端部１１）の温度変化の影響を受けにくくなり、電極周囲にある組織の温度を正確に測定することができる。
【００８９】
以上、本発明の焼灼用針装置の一実施形態について説明したが、本発明はこれらに限定されるものではなく種々の変更が可能である。
例えば、本発明の焼灼用針装置を構成するハブは、冷却用液体を注入して中空針の内部に供給するための注入ポートと、電極を冷却して中空針の内部から戻ってきた液体を排出するための排出ポートとを別々に有するものであってもよい。
【００９０】
また、本発明の焼灼用針装置を構成する冷却用液体導入管（冷却用液体導入管）の数は２本に限定されるものではなく、３本以上であってもよい。
【００９１】
また、本発明の焼灼用針装置は、副腎腫瘍以外の腫瘍（例えば、肝臓がん）を焼灼治療するために使用することもできる。
【００９２】
＜高周波焼灼治療システム＞
図１２に示す実施形態の高周波焼灼治療システム６００は、上述した焼灼用針装置１００と、この焼灼用針装置１００の通電用コネクタ３０に接続された高周波電源装置１３０と、この高周波電源装置１３０に接続された対極板１５０と、焼灼用針装置１００の電極を患者Ｐの副腎ＡＧに案内するためのガイディングカテーテル１６０と、焼灼用針装置１００の電極を冷却するために、第１延長チューブ７１を通してハブ２０の流通ポート（注入ポート）に冷却用液体を注入する冷却用液体の供給ポンプ１２１と、電極を冷却して中空針１０の内部からハブ２０の内部に戻ってきた液体を、流通ポート（排出ポート）から第２延長チューブ７２を通して回収し、再冷却する回収容器１２２とを備えた冷却用液体循環機構１２０とを備えてなる。同図において、１７０はガイドワイヤである。
【００９３】
図１２に示すように、焼灼用針装置１００の通電用コネクタ３０は、高周波電源装置１３０の針装置接続コネクタ１３１と接続されている。また、高周波電源装置１３０の対極板接続コネクタ１３２は、対極板１５０と接続されている。
これにより、焼灼用針装置１００の中空針１０の先端部（電極）と、対極板１５０との間に高周波電流を流す（副腎腫瘍の高周波焼灼治療を施す）ことが可能になる。
【００９４】
焼灼用針装置１００を構成するハブ２０の有する流通ポート（注入ポート）から延出している第１延長チューブ７１は、冷却用液体循環機構１２０を構成する供給ポンプ１２１に接続されている。
これにより、高周波焼灼治療を施している際に、供給ポンプ１２１からの冷却用液体を流通ポート（注入ポート）からハブ２０の内部に注入して中空針１０の内部に供給することができ、中空針１０の先端部からなる電極を内部から冷却（インナークーリング）することができる。
【００９５】
また、焼灼用針装置１００のハブ２０に設けられた流通ポート（排出ポート）から延出している第２延長チューブ７２は、冷却用液体循環機構１２０を構成する回収容器１２２に接続されている。
これにより、電極を冷却して中空針１０の内部からハブ２０の内部に戻ってきた液体を流通ポート（排出ポート）からハブ２０の外部に排出し、第２延長チューブ７２を通して回収容器１２２に回収することができる。
【００９６】
回収容器１２２に回収された液体は当該回収容器１２２において（再）冷却された後、供給ポンプ１２１によってハブ２０の内部に注入される。
【００９７】
高周波焼灼治療システム６００を構成するガイディングカテーテル１６０は、焼灼用針装置１００の中空針１０の先端部を患者Ｐの副腎ＡＧに案内するために、その先端が副腎（近傍）に位置するよう先行して挿入される。
【００９８】
図１２において模式的に示したガイディングカテーテル１６０は、副腎に至る血管形状の相違により、右副腎用と左副腎用とでそれぞれの形状が異なる。
【００９９】
図１３Ａは、右副腎用のガイディングカテーテル１６０Ｒの先端部分の形状を示している。他方、図１３Ｂは、左副腎用のガイディングカテーテル１６０Ｌの先端部分の形状を示している。
なお、図１３Ａおよび図１３Ｂに示すガイディングカテーテル１６０Ｒおよび１６０Ｌは、何れも複数の湾曲部を有している。
【０１００】
図１３Ａに示す右副腎用のガイディングカテーテル１６０Ｒは、図１４Ａに示すように、下大静脈ＩＶＣおよび右副腎静脈を経由して、その先端が右副腎ＲＡＧ（近傍）に位置するように挿入される。また、図１３Ｂに示す左副腎用のガイディングカテーテル１６０Ｌは、図１４Ｂに示すように、下大静脈ＩＶＣ、左腎静脈ＬＲＶおよび左副腎静脈を経由して、その先端が左副腎ＬＡＧ（近傍）に位置するように挿入される。
なお、図１４Ａおよび図１４Ｂにおいて、ＲＫは右腎、ＬＫは左腎である。
【０１０１】
ガイディングカテーテル１６０（１６０Ｒ，１６０Ｌ）の外径は、例えば１．０〜４．０ｍｍとされ、好ましくは１．５〜２．７ｍｍとされる。
ガイディングカテーテル１６０の内径は、例えば０．６〜３．１ｍｍとされ、好ましくは０．７５〜２．１ｍｍとされる。
ガイディングカテーテル１６０の長さは、例えば３５０〜２１００ｍｍとされ、好ましくは５５０〜９５０ｍｍとされる。
【０１０２】
なお、ガイディングカテーテル１６０（１６０Ｒ，１６０Ｌ）として、副腎静脈からの血液採取（副腎静脈採血）するために使用したカテーテルを使用することができる。
【０１０３】
この実施形態の高周波焼灼治療システム６００によれば、焼灼用針装置１００の中空針１０の先端部と、対極板１５０との間に高周波電流を流すことにより副腎腫瘍の高周波焼灼治療（低侵襲である経静脈的な焼灼治療）を行うことができる。
また、高周波焼灼治療を行っている際に、冷却用液体循環機構１２０の供給ポンプ１２１からの冷却用液体を、焼灼用針装置１００の中空針１０の先端部において第１冷却用液体導入管および第２冷却用液体導入管の先端開口から吐出させることにより、中空針１０の先端部からなる電極を内部から冷却（インナークーリング）することができる。
【０１０４】
以上、本発明の高周波焼灼治療システムの一実施形態である副腎腫瘍の高周波焼灼治療システムについて説明したが、本発明の高周波焼灼治療システムは、副腎腫瘍以外の腫瘍（例えば、肝臓がん）を焼灼治療するために使用することもできる。
【符号の説明】
【０１０５】
１００    焼灼用針装置
１０    中空針
１１    中空針の先端部
１２    中空針の基端部
１２Ａ  基端部の先端領域
１４    スリット
１５    先端チップ
１６    被覆樹脂
１８    防水シール被膜
２０    ハブ（分岐ハブ）
２１    液体の流通ポート
２３    通電用コネクタの接続ポート
２５    ガイドワイヤポート
３０    通電用コネクタ
４０    熱電対
４５    熱電対の測温接点（温度センサ）
５１    第１冷却用液体導入管
５１１  第１冷却用液体導入管の先端
５２    第２冷却用液体導入管
５２１  第２冷却用液体導入管の先端
６０    ルーメンチューブ
７１〜７４  延長チューブ
７６，７７，７９  コネクタ
１２０  冷却用液体循環機構
１２１  冷却用液体の供給ポンプ
１２２  冷却後液体の回収容器
１３０  高周波電源装置
１３１  針装置接続コネクタ
１３２  対極板接続コネクタ
１５０  対極板
１６０（１６０Ｒ，１６０Ｌ）  ガイディングカテーテル
１７０  ガイドワイヤ
６００  高周波焼灼治療システム
【図１】
2019103561.tif 000003
【図２】
2019103561.tif 000004
【図３】
2019103561.tif 000005
【図４】
2019103561.tif 000006
【図５】
2019103561.tif 000007
【図６】
2019103561.tif 000008
【図７】
2019103561.tif 000009
【図８】
2019103561.tif 000010
【図９】
2019103561.tif 000011
【図１０】
2019103561.tif 000012
【図１１】
2019103561.tif 000013
【図１２】
2019103561.tif 000014
【図１３Ａ】
2019103561.tif 000015
【図１３Ｂ】
2019103561.tif 000016
【図１４Ａ】
2019103561.tif 000017
【図１４Ｂ】
2019103561.tif 000018